(57)【要約】【課題】内視鏡自体で、内視鏡が曝された温度を確実に検出し得る内視鏡を提供すること。【解決手段】電子内視鏡１は、術者が把持して電子内視鏡１全体を操作する操作部６を有し、この操作部６には、温度検出ユニット３と、表示部４と、電源部５とが設けられている。温度検出ユニット３は、操作部６（電子内視鏡１）の外部に突出して設けられた温度センサ３１と、操作部６の内部に設けられた検出器３２、変換器３３とを備えている。温度検出ユニット３は、電子内視鏡１の周辺温度を検出し、温度データに変換して、これを表示部４に表示する。電子内視鏡１の場合、温度センサ３１は、少なくとも４５〜８０℃程度の温度範囲を検出し得るものであるのが好ましい。また、温度センサ３１は、白金抵抗温度計を用いるのが好ましい。【選択図】図３
2004223105.tif 000002
【特許請求の範囲】
【請求項１】
管腔内に挿入される挿入部可撓管と、該挿入部可撓管に接続された操作部と、該操作部に接続され、周辺機器に接続する接続部とを備える内視鏡であって、
温度センサを備える温度検出ユニットと、
前記内視鏡に内蔵され、前記温度検出ユニットの作動に必要な電力を供給する電源部とを備えることを特徴とする内視鏡。
【請求項２】
前記温度センサは、白金抵抗温度計である請求項１に記載の内視鏡。
【請求項３】
前記温度センサは、前記内視鏡の外部に突出するよう設けられている請求項１または２に記載の内視鏡。
【請求項４】
前記温度センサは、前記操作部の基端に設けられている請求項３に記載の内視鏡。
【請求項５】
前記温度センサは、前記接続部に設けられている請求項３に記載の内視鏡。
【請求項６】
前記温度検出ユニットにより検出された温度データを表示する表示部を有する請求項１ないし５のいずれかに記載の内視鏡。
【請求項７】
前記温度検出ユニットにより検出された温度データを記憶する記憶部を有する請求項１ないし６のいずれかに記載の内視鏡。
【請求項８】
前記記憶部は、温度履歴を記憶する請求項７に記載の内視鏡。
【請求項９】
前記記憶部は、時間とともに温度を記憶する請求項７または８に記載の内視鏡。
【請求項１０】
前記接続部を前記周辺機器に接続したとき、前記記憶部に記憶された前記温度データが読み出される請求項７ないし９のいずれかに記載の内視鏡。
【請求項１１】
前記電源部は、前記温度検出ユニットに近接して設けられている請求項１ないし１０のいずれかに記載の内視鏡。
【請求項１２】
前記内視鏡は、医療用内視鏡であり、
前記温度センサは、少なくとも４５〜８０℃の温度範囲を検出し得る請求項１ないし１１のいずれかに記載の内視鏡。
【発明の詳細な説明】
【０００１】
【発明の属する技術分野】
本発明は、内視鏡に関するものである。
【０００２】
【従来の技術】
医療の分野では、消化管等の検査や診断に、内視鏡が使用されている。このような医療用の内視鏡は、繰り返して使用されるため、検査の処理終了毎に洗浄および消毒・滅菌が行われる。
【０００３】
この内視鏡の消毒・滅菌の際には、一般に、高温の薬液や、高温高圧水蒸気等を用いて行われる。このとき、何らかのトラブルにより、薬液を貯留した薬液槽やオートクレーブ槽等の内部温度が異常上昇し、許容範囲を超えた場合、内視鏡の熱に弱い部品（例えば、可撓管の外皮や光学部品等）の形状の変形、特性の劣化等が生じるおそれがある。
【０００４】
このため、消毒・滅菌に際して、内視鏡が曝される温度管理を行い、内視鏡が異常な温度に曝された場合、これに対処できるようにしておくことが必要となる。この温度管理は、通常、処理装置（すなわち、薬液槽やオートクレーブ槽等）に装備された温度センサを用いて行われている。
【０００５】
しかしながら、処理装置に装備された温度センサで検出される温度は、内視鏡が実際に曝された温度を正確に反映しているとは言えず、処理装置側で検出される温度が正常範囲であったとしても、内視鏡の周辺温度（内視鏡が曝された温度）が異常値にまで上昇している場合もある。したがって、処理装置に装備された温度センサのみでは、内視鏡が曝された温度を管理するのには不十分である。
【０００６】
一方、内視鏡の周辺温度を直接検出するために、温度センサや示温シールが内視鏡に設けられることがある。
【０００７】
しかしながら、一般に内視鏡に設けられる温度センサは、体腔内を観察する際の温度を検出することを主たる目的とするものであり、測定対象温度は、体温付近であり、この温度範囲に合わせて最適化されている。このため、消毒・滅菌の際の温度範囲を検出するには不適当である。
【０００８】
また、オートクレーブ滅菌の終了後、使用可能な温度になったか否かを確認することを目的として、温度センサを設けた内視鏡も提案されている（例えば、特許文献１参照。）。しかしなから、この内視鏡では、内視鏡を周辺機器に接続した状態で、温度センサの作動に必要な電力が周辺機器から供給されるように設計されており、内視鏡が周辺機器から取り外された状態で行われる消毒・滅菌の際には、温度センサとして作動させることができないという問題がある。
【０００９】
一方、示温シールは、所定の温度を超えた際に色の変化を生じる温度検知用のシールであり、内視鏡の外部に貼付した場合、薬液等に接触すると剥がれてしまうため、通常、内視鏡の内部に貼付される。このため、内視鏡の外部から直接視認することができない、また、内視鏡が曝された温度の実測値やその経時変化が判らない等の欠点がある。
【００１０】
【特許文献１】
特開２００２−５１９７９号公報
【００１１】
【発明が解決しようとする課題】
本発明の目的は、内視鏡自体で、内視鏡が曝された温度を確実に検出し得る内視鏡を提供することにある。
【００１２】
【課題を解決するための手段】
このような目的は、下記（１）〜（１２）の本発明により達成される。
【００１３】
（１）  管腔内に挿入される挿入部可撓管と、該挿入部可撓管に接続された操作部と、該操作部に接続され、周辺機器に接続する接続部とを備える内視鏡であって、
温度センサを備える温度検出ユニットと、
前記内視鏡に内蔵され、前記温度検出ユニットの作動に必要な電力を供給する電源部とを備えることを特徴とする内視鏡。
これにより、内視鏡自体で、内視鏡が曝された温度を確実に検出し得る。
【００１４】
（２）  前記温度センサは、白金抵抗温度計である上記（１）に記載の内視鏡。
白金抵抗温度計は、温度変化や薬液等に対する耐久性に優れている。
【００１５】
（３）  前記温度センサは、前記内視鏡の外部に突出するよう設けられている上記（１）または（２）に記載の内視鏡。
これにより、内視鏡の周辺温度をより確実に検出し得る。
【００１６】
（４）  前記温度センサは、前記操作部の基端に設けられている上記（３）に記載の内視鏡。
【００１７】
これにより、内視鏡を操作する際に、温度センサがその操作の邪魔になるのを防止することができる。
【００１８】
（５）  前記温度センサは、前記接続部に設けられている上記（３）に記載の内視鏡。
【００１９】
これにより、内視鏡を操作する際に、温度センサがその操作の邪魔になるのを防止することができる。
【００２０】
（６）  前記温度検出ユニットにより検出された温度データを表示する表示部を有する上記（１）ないし（５）のいずれかに記載の内視鏡。
【００２１】
これにより、内視鏡の周辺温度（内視鏡が曝された温度）をリアルタイムで把握することができる。
【００２２】
（７）  前記温度検出ユニットにより検出された温度データを記憶する記憶部を有する上記（１）ないし（６）のいずれかに記載の内視鏡。
【００２３】
これにより、温度検出ユニットにより検出された温度データを記憶することができ、内視鏡の管理に有用である。
【００２４】
（８）  前記記憶部は、温度履歴を記憶する上記（７）に記載の内視鏡。
【００２５】
これにより、内視鏡の部品の交換時期やメンテナンスの時期等の目安とすることができ、内視鏡の管理に有用である。
【００２６】
（９）  前記記憶部は、時間とともに温度を記憶する上記（７）または（８）に記載の内視鏡。
【００２７】
これにより、内視鏡の部品の交換時期やメンテナンスの時期等の目安とすることができ、内視鏡の管理に有用である。
【００２８】
（１０）  前記接続部を前記周辺機器に接続したとき、前記記憶部に記憶された前記温度データが読み出される上記（７）ないし（９）のいずれかに記載の内視鏡。
【００２９】
これにより、内視鏡の部品の交換時期やメンテナンスの時期等の目安とすることができ、内視鏡の管理に有用である。
【００３０】
（１１）  前記電源部は、前記温度検出ユニットに近接して設けられている上記（１）ないし（１０）のいずれかに記載の内視鏡。
これにより、内視鏡内部での配線が複雑となるのを防止することができる。
【００３１】
（１２）  前記内視鏡は、医療用内視鏡であり、
前記温度センサは、少なくとも４５〜８０℃の温度範囲を検出し得る上記（１）ないし（１１）のいずれかに記載の内視鏡。
【００３２】
医療用内視鏡は、検査の処理終了毎に洗浄および消毒・滅菌が行われるが、温度センサとして、このような温度範囲を検出し得るものを用いることにより、消毒・滅菌の際に内視鏡が異常な温度に曝された場合、この異常事態をより確実に把握することができる。
【００３３】
【発明の実施の形態】
以下、本発明の内視鏡を添付図面に示す好適実施形態に基づいて詳細に説明する。なお、以下では、本発明の内視鏡を、医療用内視鏡、特に、電子内視鏡（電子スコープ）に適用した場合について説明する。
【００３４】
＜第１実施形態＞
まず、電子内視鏡の第１実施形態について説明する。
【００３５】
図１は、電子内視鏡の第１実施形態を示す全体図、図２は、図１に示す電子内視鏡が備える操作部を示す斜視図、図３は、図１に示す電子内視鏡の回路構成を示すブロック図である。以下、図１中、上側を「基端」、下側を「先端」として説明する。
【００３６】
図１に示す電子内視鏡１は、可撓性（柔軟性）を有する長尺物の挿入部可撓管２と、挿入部可撓管２の基端部に接続され、術者が把持して電子内視鏡１全体を操作する操作部６と、操作部６に接続された接続部可撓管７と、接続部可撓管７を介して操作部６に接続された光源差込部（接続部）８とを有している。
【００３７】
挿入部可撓管２は、体腔内に挿入して使用される。図１に示すように、挿入部可撓管２は、手元（基端）側から可撓管部２０と、可撓管部２０の先端部に設けられ、湾曲可能な湾曲部２１とを有している。
【００３８】
湾曲部２１の先端部内側には、観察部位における被写体像を撮像する図示しない撮像素子（ＣＣＤ）が設けられており、この撮像素子は、挿入部可撓管２内、操作部６内および接続部可撓管７内に連続して配設された画像信号ケーブル（図示せず）により、光源差込部８に設けられた画像信号用コネクタ８２に接続されている。
【００３９】
また、光源差込部８の先端部には、光源用コネクタ８１が画像信号用コネクタ８２と併設され、光源用コネクタ８１および画像信号用コネクタ８２を、図示しない光源プロセッサ装置（周辺機器）の接続部に挿入することにより、光源差込部８が光源プロセッサ装置に接続される。この光源プロセッサ装置には、ケーブルを介してモニタ装置（図示せず）が接続されている。
【００４０】
光源プロセッサ装置から発せられた光は、光源用コネクタ８１、および、光源差込部８内、接続部可撓管７内、操作部６内および挿入部可撓管２内に連続して配設されたライトガイド（図示せず）を通り、湾曲部２１（挿入部可撓管２）の先端部より観察部位に照射され、照明する。このようなライトガイドは、例えば、石英、多成分ガラス、プラスチック等により構成される光ファイバーが複数本束ねられて構成されている。
【００４１】
前記照明光により照明された観察部位からの反射光（被写体像）は、撮像素子で撮像される。撮像素子では、撮像された被写体像に応じた画像信号が出力される。この画像信号は、画像信号ケーブルを介して光源差込部８に伝達される。
【００４２】
そして、光源差込部８内および光源プロセッサ装置内で所定の処理（例えば、信号処理、画像処理等）がなされ、その後、モニタ装置に入力される。モニタ装置では、撮像素子で撮像された画像（電子画像）、すなわち動画の内視鏡モニタ画像が表示される。
【００４３】
操作部６の図１中前面には、第１操作ノブ６１、第２操作ノブ６２、第１ロックレバー６３および第２ロックレバー６４が、それぞれ独立に回動自在に設けられている。
【００４４】
各操作ノブ６１、６２を回転操作すると、挿入部可撓管２内に配設されたワイヤ（図示せず）が牽引されて、湾曲部２１が４方向に湾曲し、湾曲部２１の方向を変えることができる。
【００４５】
各ロックレバー６３、６４を反時計回りに回転操作すると、それぞれ、湾曲部２１の湾曲状態（上下方向および左右方向への湾曲状態）を固定（保持）することができ、一方、時計回りに回転操作すると、湾曲した状態で固定された湾曲部２１の固定を解除することができる。
【００４６】
また、操作部６の図１中側面（周面）には、３つの制御ボタン６５、吸引ボタン６６および送気・送液ボタン６７が設けられている。
【００４７】
電子内視鏡１を光源プロセッサ装置（外部装置）に接続した状態で、各制御ボタン６５を押圧操作することにより、光源プロッセサ装置やモニタ装置等の周辺機器の諸動作（例えば、電子画像の動画と静止画との切り替え、電子画像のファイリングシステムや撮影装置の作動および／または停止、電子画像の記録装置の作動および／または停止等）を遠隔操作することができる。
【００４８】
吸引ボタン６６および送気・送液ボタン６７は、それぞれ、光源差込部８内、接続部可撓管７内、操作部６内および挿入部可撓管２内に連続して形成され、一端が挿入部可撓管２の先端で開放し、他端が光源差込部８で開放する吸引チャンネルおよび送気・送液チャンネル（いずれも図示せず）を開閉する機能を有している。
【００４９】
すなわち、吸引ボタン６６および送気・送液ボタン６７を押圧操作する前には、吸引チャンネルおよび送気・送液チャンネルは閉塞されており（流体が通過不能な状態とされており）、一方、吸引ボタン６６および送気・送液ボタン６７を押圧操作すると、吸引チャンネルおよび送気・送液チャンネルが連通する（流体が通過可能な状態となる）。
【００５０】
このような電子内視鏡１には、図２および図３に示すように、操作部６に温度検出ユニット３と、表示部４と、電源部５とが設けられている。すなわち、温度検出ユニット３、表示部４および電源部５は、互いに近接して（操作部６に集約して）設けられている。これにより、電子内視鏡１内部での配線が複雑となるのを防止することができる。
【００５１】
温度検出ユニット３は、操作部６（電子内視鏡１）の外部に突出して設けられた温度センサ３１と、操作部６の内部に設けられた検出器３２、変換器３３とを備えている。温度センサ３１を電子内視鏡１の外部に突出して設けることにより、電子内視鏡１の周辺温度（電子内視鏡１が曝された温度）をより確実に検出することができる。
【００５２】
温度センサ３１を操作部６（電子内視鏡１）の外部に突出して設ける場合には、図示の構成のように、操作部６の基端に設けるのが好ましい。これにより、電子内視鏡１を操作する際に、温度センサ３１がその操作の邪魔になるのを防止することができる。
【００５３】
温度センサ３１としては、少なくとも４５〜８０℃程度（特に、４５〜６０℃程度）の温度範囲を検出し得るものであるのが好ましい。医療用内視鏡である電子内視鏡１は、検査の処理終了毎に洗浄および消毒・滅菌が行われるが、温度センサ３１として、前記温度範囲を検出し得るものを用いることにより、消毒・滅菌の際に電子内視鏡１が異常な温度に曝された場合、この異常事態をより確実に把握することができる。
【００５４】
なお、温度センサ３１は、このような温度範囲を検出し得るものであればよく、かかる温度範囲を上回る温度や下回る温度をも検出し得るものであってもよい。
【００５５】
このような温度センサ３１としては、白金抵抗体やサーミスタ等を感温部に用いる電気抵抗型温度センサ、バイメタル等を感温部に用いる熱膨張型温度センサ、熱電対等を感温部に用いる熱起電力型温度センサ、感温ダイオード等を感温部に用いる半導体接合型温度センサ等が挙げられるが、これらの中でも、特に、白金抵抗体を感温部に用いる電気抵抗型温度センサ（すなわち、白金抵抗温度計）が好ましい。白金抵抗温度計は、温度変化や薬液等に対する耐久性に優れているという点で好ましい。
【００５６】
この白金抵抗温度計は、白金の電気抵抗が温度によって変化することを利用するものであり、白金抵抗体と接触する物質（本実施形態では、消毒・滅菌に際して電子内視鏡１の周辺に存在する薬液や水蒸気等）の温度変化を、白金抵抗体の電気抵抗の変化として送出する。
【００５７】
検出器３２は、温度センサ３１の温度変化による物性変化を検出するものである。温度センサ３１として電気抵抗型温度センサを用いた場合には、この検出器３２により温度センサ３１の電気抵抗の変化が検出される。
【００５８】
変換器３３は、検出器３２で検出された検出値を、温度データに変換する。例えば、電気抵抗型温度センサの電気抵抗値が、所定の関係式に基づいて温度値（電子内視鏡１が曝された温度）に換算（変換）される。
【００５９】
なお、検出器３２および変換器３３には、それぞれ、検出値および温度データを一時的に記憶するメモリ（記憶部）が設けられている。
【００６０】
変換器３３には、例えば液晶表示素子（ＬＣＤ）等で構成される表示部４が接続されている。この表示部４には、変換器３３から送信された温度データが表示される。
【００６１】
また、操作部６の側部には、表示部４に対応する位置に表示窓６８が設けられており、表示部４の表示内容を電子内視鏡１の外部から視認することができる。
【００６２】
操作部６（電子内視鏡１）に内蔵された電源部５は、温度検出ユニット３の各部および表示部４に、それぞれ、これらの作動に必要な電力を供給する。この電源部５としては、例えば、一次電池、二次電池、太陽電池（光電変換素子）等が使用可能である。
【００６３】
一次電池としては、例えば、マンガン電池、アルカリマンガン電池、酸化銀電池、水銀電気、リチウム電池等が挙げられ、二次電池としては、例えば、ニッケル−カドミウム電池、ニッケル−水素電池、リチウム電池、リチウムイオン電池等が挙げられる。
【００６４】
これらの中でも、充電を行うことで繰り返し使用でき、実用性に優れることから二次電池が好ましく、特に、高容量および高起電力が得られるリチウムイオン電池が好ましい。二次電池を電源部５として用いる場合、この二次電池に充電を行うための充電用電極を光源差込部８に設けておき、例えば、電子内視鏡１が光源プロセッサ装置に接続すると、前記充電用電極が光源プロセッサ装置側に設けられた電力供給用電極に接続され、これにより、充電が行われる構成とすることができる。
【００６５】
以上のように、本実施形態の電子内視鏡１では、前述したような温度範囲を検出し得る温度センサ３１を備える温度検出ユニット３と、温度データを表示する表示部４と、これらの作動に必要な電力を供給する電源部５とが設けられている。これにより、電子内視鏡１は、光源プロセッサ装置等の周辺機器に接続しない状態で、すなわち、電子内視鏡１自体で、電子内視鏡１の周辺温度（電子内視鏡１が曝された温度）をリアルタイムで検出し、その温度データを表示することができる。
【００６６】
したがって、例えば電子内視鏡１の消毒・滅菌に際して、電子内視鏡１が異常な温度に曝された場合、即時に、この異常事態を把握することができる。この場合、消毒・滅菌等の各処理を途中で中断することにより、電子内視鏡１の各部の劣化を未然に防いだり、劣化を最小限に止めることができる。
【００６７】
＜第２実施形態＞
次に、電子内視鏡の第２実施形態について説明する。
【００６８】
図４は、第２実施形態の電子内視鏡が備える光源差込部を示す側面図、図５は、第２実施形態の電子内視鏡の回路構成を示すブロック図である。
【００６９】
以下、この第２実施形態について説明するが、前記第１実施形態との相違点を中心に説明し、同様の事項については、その説明を省略する。
【００７０】
第２実施形態の電子内視鏡１は、操作部６に代わり、光源差込部８に温度検出ユニット３と、電源部５とが集約して設けられている。また、温度検出ユニット３が備える変換器３３には、光源差込部８の内部に設けられた記憶部９が接続されている。また、温度検出ユニット３の各部および記憶部９には、それぞれ、電源部５から、これらの作動に必要な電力が供給される。
【００７１】
温度センサ３１は、光源差込部８の側部において、光源差込部８（電子内視鏡１）の外部に突出して設けられている。このような構成により、電子内視鏡１を操作する際に、温度センサ３１がその操作の邪魔になるのを防止することができる。
【００７２】
記憶部９は、例えば半導体メモリ等で構成され、温度検出ユニット３により検出された温度データを記憶する。この記憶部９は、書き換え、消去等を行わない限り温度データを記憶しておくことができる。
【００７３】
この温度データとしては、例えば、電子内視鏡１が曝された温度、その測定日時（時間）等が挙げられる。記憶部９は、時間とともに、電子内視鏡１が曝された温度を記憶することにより、電子内視鏡１が曝された温度の履歴（温度履歴）を温度データとして記憶することができる。その他、記憶部９は、電子内視鏡１が曝された温度の累積値等を記憶するような構成であってもよい。
【００７４】
そして、本実施形態では、光源差込部８を光源プロセッサ装置１００に接続すると、記憶部９に記憶された温度データは、光源プロセッサ装置１００を介してモニタ装置２００に出力される（読み出される）。そして、モニタ装置２００には、前述したような温度データが表示される。
【００７５】
以上のように、本実施形態の電子内視鏡１では、前述したような温度範囲を検出し得る温度センサ３１を備える温度検出ユニット３と、温度データを記憶する記憶部９と、これらの作動に必要な電力を供給する電源部５とが設けられている。これにより、電子内視鏡１は、光源プロセッサ装置等の周辺機器に接続しない状態で、すなわち、電子内視鏡１自体で、電子内視鏡１の周辺温度（電子内視鏡１が曝された温度）をリアルタイムで検出し、その温度データを記憶することができる。
【００７６】
したがって、例えば消毒・滅菌に際して、電子内視鏡１が曝された温度、その測定日時、電子内視鏡１が曝された温度の累積値等の記憶された温度データを、消毒・滅菌後に確認することができる。
【００７７】
これにより、薬液槽やオートクレーブ槽の異常の発見、消毒・滅菌の際の温度管理に必要な情報の取得等を行うことができる。また、電子内視鏡１が曝された温度の累積値を確認することにより、電子内視鏡１の部品の交換時期やメンテナンスの時期等の目安とすることができる。
【００７８】
以上、本発明の内視鏡を図示の各実施形態について説明したが、本発明は、これらに限定されるものではなく、同様の機能を発揮する任意の構成のものと置換することができる。
【００７９】
また、本発明の内視鏡では、各前記実施形態の任意の２以上の構成を組み合わせることもできる。
【００８０】
また、本発明では、温度検出ユニット（温度センサ、検出器、変換器）、表示部、記憶部および電源部の設置箇所は、図示の箇所に限定されるものではなく、内視鏡の他の箇所であってもよく、また、複数の箇所に分割して設けられていてもよい。例えば、温度センサは、内視鏡から外部に突出するように設けられるものに限られず、内視鏡の内部に設けてもよく、内部および外部の双方に設けるようにしてもよい。温度センサを内視鏡の内部および外部の双方に設けることにより、内視鏡が曝されたより厳密な温度を検出することが可能となる。
【００８１】
また、本発明では、他の構成が付加されていてもよい。例えば、内視鏡が異常温度に曝された場合、この異常事態を警告するブザー等の報知手段を設けたり、内視鏡の製造元に異常事態を連絡する連絡手段を設けるようにしてもよい。この連絡手段としては、例えば、電話回線によるインターネット等が挙げられる。
【００８２】
また、本発明の内視鏡は、電子内視鏡への適用に限定されず、光学内視鏡（ファイバースコープ）に適用することもでき、さらに、医療用内視鏡への適用に限定されず、工業用途に用いられる内視鏡に適用することもできる。
【００８３】
【発明の効果】
以上述べたように、本発明によれば、内視鏡自体で、例えば内視鏡の消毒・滅菌の際に、内視鏡の周辺温度（内視鏡が曝された温度）を確実に検出し得る。
【００８４】
また、検出された温度データを表示する表示部を設けることにより、内視鏡の周辺温度をリアルタイムで検出することができる。
【００８５】
また、検出された温度データを記憶する記憶部を設けることにより、内視鏡が曝された温度、その測定日時、内視鏡が曝された温度の累積値等を確認することができ、内視鏡の管理に有用である。
【図面の簡単な説明】
【図１】電子内視鏡の第１実施形態を示す全体図である。
【図２】図１に示す電子内視鏡が備える操作部を示す斜視図である。
【図３】図１に示す電子内視鏡の回路構成を示すブロック図である。
【図４】第２実施形態の電子内視鏡が備える光源差込部を示す側面図である。
【図５】第２実施形態の電子内視鏡の回路構成を示すブロック図である。
【符号の説明】
１            電子内視鏡
２            挿入部可撓管
２０          可撓管部
２１          湾曲部
３            温度検出ユニット
３１          温度センサ
３２          検出器
３３          変換器
４            表示部
５            電源部
６            操作部
６１          第１操作ノブ
６２          第２操作ノブ
６３          第１ロックレバー
６４          第２ロックレバー
６５          制御ボタン
６６          吸引ボタン
６７          送気・送液ボタン
６８          表示窓
７            接続部可撓管
８            光源差込部
８１          光源用コネクタ
８２          画像信号用コネクタ
９            記憶部
１００        光源プロセッサ装置
２００        モニタ装置
【図１】
2004223105.tif 000003
【図２】
2004223105.tif 000004
【図３】
2004223105.tif 000005
【図４】
2004223105.tif 000006
【図５】
2004223105.tif 000007